(57)【要約】【課題】使用時においてごみ袋の口を閉じることができ、且つ未使用時の閉脚状態で自立できるごみ袋の口を支持する折り畳みスタンドを提供すること。【解決手段】第１左右縦棒部材１ａ、１ｂと第１上横棒部材１ｃ成される外脚本体１と、外脚本体に内接する第２左右縦棒部材２ａ、２ｂと第２上横棒部材２ｃ成される内脚本体２と、第１左右縦棒部材の先端から側面視で外側に屈曲して第１中間屈曲部を形成し、次いで正面視で内側に屈曲する第１先端屈曲部を形成する第１屈曲部１１ａ、１１ｂと、第２左右縦棒部材の先端から側面視で外側に屈曲して第２中間屈曲部を形成し、次いで正面視で内側に屈曲して第２先端屈曲部を形成する第２屈曲部２１ａ、２１ｂとを有し、第１屈曲部と該第２屈曲部で脚部を形成する。【選択図】図１
2017197336.tif 000002
【特許請求の範囲】
【請求項１】
第１左右縦棒部材と第１上横棒部材で形成される略Ｕ字形の外脚本体と、
該外脚本体に交差し且つ内接して回動自在に連結される、第２左右縦棒部材と第２上横棒部材で形成される略Ｕ字形の内脚本体と、
該第１左右縦棒部材のそれぞれの先端から第１左右縦棒部材が重なる側面視で外側に屈曲して第１中間屈曲部を形成し、次いで正面視で内側に屈曲する第１先端屈曲部を形成する第１屈曲部と、
該第２左右縦棒部材のそれぞれの先端から第２左右縦棒部材が重なる側面視で第１屈曲部の屈曲とは反対方向の外側に屈曲して第２中間屈曲部を形成し、次いで正面視で内側に屈曲して第２先端屈曲部を形成する第２屈曲部とを有し、
該第１先端屈曲部は、正面視で該第１左右縦棒部材に対して９０度屈曲しており、
該第２先端屈曲部は、正面視で該第２左右縦棒部材に対して９０度屈曲しており、
該第１屈曲部と該第２屈曲部で脚部を形成することを特徴とするごみ袋の口を支持する折り畳みスタンド。
【請求項２】
該第１左右縦棒部材と該第２左右縦棒部材の軸長方向の中間において枢結されたものであることを特徴とする請求項１記載の折り畳みスタンド。
【請求項３】
該第１先端屈曲部及び該第２先端屈曲部には、樹脂製チューブが装着されていることを特徴とする請求項１又は２記載の折り畳みスタンド。
【請求項４】
該第１上横棒部材及び該第２上横棒部材には、樹脂製のチューブが装着されていることを特徴とする請求項１又は２記載の折り畳みスタンド。
【請求項５】
閉脚時、該第１上横棒部材のチューブと該第２上横棒部材のチューブ間に隙間がないことを特徴とする請求項４に記載の折り畳みスタンド。
【請求項６】
該外脚本体の枢結位置直下に、ストッパーが付設されていることを特徴とする請求項１〜５のいずれか１項に記載の折り畳みスタンド。
【請求項７】
該第１左右縦棒部材と該第２左右縦棒部材が側面視でＸ字形となる開脚状態から、該第１左右縦棒部材と該第２左右縦棒部材が側面視で重なる閉脚状態まで回動することを特徴とする請求項１〜６のいずれか１項に記載の折り畳みスタンド。
【請求項８】
閉脚状態において、自立するものであることを特徴とする請求項１〜７のいずれか１項に記載の折り畳みスタンド。
【請求項９】
該一対の第１先端屈曲部及び該一対の第２先端屈曲部は、互いの先端部分が接続され連続した棒部となっていることを特徴とする請求項１〜８のいずれか１項に記載の折り畳みスタンド。
【請求項１０】
該第２左右縦棒部材間の左右方向の外寸法が、１１０±３０ｍｍであることを特徴とする請求項１〜９のいずれか１項に記載の折り畳みスタンド。
【発明の詳細な説明】
【技術分野】
【０００１】
本願発明は、例えば、台所のシンク周りに設置される生ごみ袋の口を支持する閉脚状態においても自立する折り畳みスタンドに関するものである。
【背景技術】
【０００２】
台所においては、毎日、料理に伴う廃材や食べ残しなどの生ごみが発生する。これらの生ごみは分別収集されることから、生ごみ専用のビニール袋に入れて処分することが多い。このため、台所のシンク周りに設置される生ごみ専用のビニール袋の口を支持する保持具が種々提案されている。
【０００３】
実用新案登録第３１６６２１１号公報には、素材に四角形の木材を用いて、上外横枠１と左右外縦枠２，３を皿木ねじ又は木ダボで結合してなる上部より下部を任意の寸法広げた梯形コの字形の外枠に、Ｘ字形立設状態で外枠上面より任意の寸法上面を低く設定した上内横枠４と左右内縦枠５，６を同じく皿木ねじ又は木ダボで結合した梯形コの字形の内枠を内設し、中間部分を回動可能に皿小ねじ７と爪付ナット８で座金を介して軸着し、外枠、内枠の左右縦枠２，３，５，６の上部両側に上外、内横枠１，４の下面延長線上の下部に切欠を設けることが開示されている。これにより、使用時にはワンタッチでごみ袋が容易に着脱でき、ごみの投入がしやすく、未使用時には折り畳めるものである。
【先行技術文献】
【特許文献】
【０００４】
【特許文献１】実用新案登録第３１６６２１１号公報
【発明の開示】
【発明が解決しようとする課題】
【０００５】
しかしながら、実用新案登録第３１６６２１１号公報の折り畳みごみ袋の口保持傾斜スタンドは、使用時において、常にごみ袋の口は開いており、ごみ袋の中の生ごみの悪臭が気になることがある。また、未使用時には折り畳めるものの、自立しないものであり、壁面に立て掛けるなど、自立用の補助部材が必要となる。そこで、使用時においてもごみ袋の口を閉じることで悪臭を閉じ込めることができ、且つ未使用時の閉脚状態で自立できるごみ袋の口を支持する折り畳みスタンドの開発が望まれていた。
【０００６】
従って、本発明の目的は、使用時においてごみ袋の口を閉じることができ、且つ閉脚状態で自立できるごみ袋の口を支持する折り畳みスタンドを提供することにある。
【課題を解決するための手段】
【０００７】
すなわち、本発明は、上記従来の課題を解決するものであって、第１左右縦棒部材と第１上横棒部材で形成される略Ｕ字形の外脚本体と、該外脚本体に交差し且つ内接して回動自在に連結される、第２左右縦棒部材と第２上横棒部材で形成される略Ｕ字形の内脚本体と、該第１左右縦棒部材のそれぞれの先端から第１左右縦棒部材が重なる側面視で外側に屈曲して第１中間屈曲部を形成し、次いで正面視で内側に屈曲する第１先端屈曲部を形成する第１屈曲部と、該第２左右縦棒部材のそれぞれの先端から第２左右縦棒部材が重なる側面視で第１屈曲部の屈曲とは反対方向の外側に屈曲して第２中間屈曲部を形成し、次いで正面視で内側に屈曲して第２先端屈曲部を形成する第２屈曲部とを有し、該第１先端屈曲部は、正面視で該第１左右縦棒部材に対して９０度屈曲しており、該第２先端屈曲部は、正面視で該第２左右縦棒部材に対して９０度屈曲しており、該第１屈曲部と該第２屈曲部で脚部を形成することを特徴とするごみ袋の口を支持する折り畳みスタンドを提供するものである。
【発明の効果】
【０００８】
本発明によれば、使用時においてごみ袋の口を閉じることができ、生ごみの悪臭を閉じ込めることができる。このような閉脚時は、自立した状態で保持することができる。また、内脚本体の脚部をシンクの内コーナーに向けて設置すれば、内脚本体の左右方向の外寸法は外脚本体の左右方向の外寸法より小であるため、狭いスペースに入り込める。このため、シンク内を広く使用できる。また、ごみ袋を処分した未使用時は自立状態で待機させることができ、設置場所に困らない。
【図面の簡単な説明】
【０００９】
【図１】本発明の実施の形態における折り畳みスタンドの開脚時の斜視図である。
【図２】図１の折り畳みスタンドの閉脚時の斜視図である。
【図３】図１の折り畳みスタンドの閉脚時の正面図である。
【図４】（Ａ）は、図１の折り畳みスタンドの閉脚時の左側面図であり、（Ｂ）は、図１の折り畳みスタンドの閉脚時の右側面図である。
【図５】図１の折り畳みスタンドの閉脚時の平面図である。
【図６】図１の折り畳みスタンドの使用状態における斜視図である。
【図７】図１の折り畳みスタンドの使用状態において閉脚した斜視図である。
【図８】図１の折り畳みスタンドの使用状態における右側面図である。
【図９】台所のシンク内に設置される折り畳みスタンドを示す図である。
【図１０】他の実施の形態における折り畳みスタンドの閉脚時の平面図である。
【図１１】他の実施の形態における折り畳みスタンドの閉脚時の斜視図である。
【図１２】他の実施の形態における折り畳みスタンドの閉脚時の斜視図である。
【発明を実施するための形態】
【００１０】
次に、本発明の実施の形態における折り畳みスタンドを図１〜図９を参照して説明する。
折り畳みスタンド１０は、第１左右縦棒部材１ａ、１ｂと第１上横棒部材１ｃで形成される略Ｕ字形の外脚本体１と、外脚本体１に交差し且つ内接して回動自在に連結される、第２左右縦棒部材２ａ、２ｂと第２上横棒部材２ｃで形成される略Ｕ字形の内脚本体２と、外脚本体１の先端の第１屈曲部１１ａ、１１ｂと、内脚本体２の先端の第２屈曲部２１ａ、２１ｂを有し、第１屈曲部１１ａと第２屈曲部２１ａで、第１屈曲部１１ｂと第２屈曲部２１ｂでそれぞれ脚部を形成する。
【００１１】
折り畳みスタンド１０において、第１左右縦棒部材１ａ、１ｂ及び第１上横棒部材１ｃは、直線状の丸棒である。すなわち、略Ｕ字形の外脚本体１は、直線状の丸棒部材の途中で９０度屈曲させ、所定長さの直線部を得て、更に内側に９０度、屈曲させて得られるものである。また、第１左右縦棒部材１ａ、１ｂは同じ長さであり、第１左右縦棒部材１ａ、１ｂは側面視で重なる。本例の折り畳みスタンド１０は、標準家庭の一日の生ごみを収容するものであり、且つシンクの内角に設置できる大きさであり、第１左右縦棒部材１ａ、１ｂ間の外寸法は、概ね１２０ｍｍ程度でよい。
【００１２】
折り畳みスタンド１０において、第２左右縦棒部材２ａ、２ｂ及び第２上横棒部材２ｃは、直線状の丸棒である。すなわち、略Ｕ字形の内脚本体２は、直線状の丸棒部材の途中で９０度屈曲させ、所定長さの直線部を得て、更に内側に９０度、屈曲させて得られるものである。また、第２左右縦棒部材２ａ、２ｂは同じ長さであり、第２左右縦棒部材２ａ、２ｂは側面視で重なる。第２左右縦棒部材２ａ、２ｂ間の外寸法は、第１左右縦棒部材１ａ、１ｂ間の内寸法と同じか又は僅かに小である。すなわち、閉脚時、第２左縦棒部材２ａと第１左縦棒部材１ａ間にはほとんど隙間がなく、第２右縦棒部材２ｂと第１右縦棒部材１ｂ間にはほとんど隙間がない。これにより、第２左縦棒部材２ａと第１左縦棒部材１ａ及び第２右縦棒部材２ｂと第１右縦棒部材１ｂは、その軸長方向の中間において枢結され、外脚本体１と内脚本体２の開脚状態から閉脚状態まで、安定した回転が可能となる。すなわち、内脚本体２は、外脚本体１に交差し且つ内接して回動自在に連結されることになる。なお、第２左右縦棒部材２ａ、２ｂ間の左右方向の外寸法は、概ね１１０±３０ｍｍである。
【００１３】
また、閉脚時、第１上横棒部材１ｃと第２上横棒部材２ｃ間は、隙間があっても、なくてもよい。図３に示すように、第１上横棒部材１ｃと第２上横棒部材２ｃ間に隙間が存在する場合、第１上横棒部材１ｃと第２上横棒部材２ｃにそれぞれシリコンチューブのような樹脂製のチューブ１ｄ、２ｄを装着して、樹脂製チューブ１ｄ、２ｄ間に、隙間がないようにすることが好ましい。これにより、ごみ袋Ｘを装着した折り畳みスタンド１０において、閉脚時、ごみ袋Ｘを閉じることができ、中の生ごみの悪臭を閉じ込めることができる。また、樹脂製チューブを装着しない場合、閉脚時、第１上横棒部材１ｃと第２上横棒部材２ｃ間には隙間がないことが、同様に、閉脚時、ごみ袋Ｘを閉じることができ、中の生ごみの悪臭を閉じ込めることができる。
【００１４】
第２左縦棒部材２ａと第１左縦棒部材１ａの軸長方向の中間部で対応する位置、及び第２右縦棒部材２ｂと第１右縦棒部材１ｂの軸長方向の中間部で対応する位置には、それぞれ軸装着用の貫通孔が形成されている。また、この貫通孔には、枢結用の軸４ａ、４ｂが嵌め込まれる。これにより、外脚本体１と内脚本体２は回転自在となる。
【００１５】
折り畳みスタンド１０において、外脚本体１の先端の第１屈曲部１１ａと、内脚本体２の先端の第２屈曲部２１ａで、第１屈曲部１１ｂと、内脚本体２の先端の第２屈曲部２１ｂで、それぞれ脚部を形成する。外脚本体１において、第１屈曲部１１ａは、第１左縦棒部材１ａの先端から第１左右縦棒部材１ａ、１ｂが重なる側面視で外側に屈曲して第１中間屈曲部１ｇを形成し、次いで正面視で内側に屈曲して第１先端屈曲部１ｈを形成する。第１左縦棒部材１ａと第１中間屈曲部１ｇの屈曲角度（外角α）は、側面視で鈍角とし、大きくは曲げない。この屈曲角度（外角α）が大き過ぎると、開脚時、この屈曲点が設置面に接することになり、設置安定性が悪くなる。また、この屈曲角度（外角α）が小さ過ぎると、閉脚時、第１先端屈曲部１ｈと第２先端屈曲部２ｈ間の寸法（Ｗ）が小さくなり、設置安定性が悪くなる。該第１先端屈曲部１ｈは、正面視で第１左縦棒部材１ａに対して９０度屈曲している。これにより、第１先端屈曲部１ｈは、その全長分が設置面に接するため、設置安定性が向上する。第１先端屈曲部１ｈと第２先端屈曲部２ｈの軸芯間の寸法（Ｗ）は、概ね２０ｍｍ程度が好ましい。
【００１６】
外脚本体１において、第１屈曲部１１ｂは、第１右縦棒部材１ｂの先端から第１左右縦棒部材１ａ、１ｂが重なる側面視で外側に屈曲して第１中間屈曲部１ｉを形成し、次いで正面視で内側に屈曲して第１先端屈曲部１ｋを形成する。第１右縦棒部材１ｂと第１中間屈曲部１ｉの屈曲角度（外角α）は、側面視で鈍角とし、大きくは曲げない。この屈曲角度（外角α）が大き過ぎると、開脚時、この屈曲点が設置面に接することになり、設置安定性が悪くなる。また、この屈曲角度（外角α）が小さ過ぎると、閉脚時、第１先端屈曲部１ｋと第２先端屈曲部２ｋ間の寸法（Ｗ）が小さくなり、設置安定性が悪くなる。第１先端屈曲部１ｋは、正面視で第１右縦棒部材１ｂに対して９０度屈曲している。これにより、第１先端屈曲部１ｋは、その全長分が設置面に接するため、設置安定性が向上する。第１先端屈曲部１ｋと第２先端屈曲部２ｋの軸芯間の寸法（Ｗ）は、概ね２０ｍｍ程度が好ましい。
【００１７】
内脚本体２において、第２屈曲部２１ａは、第２左縦棒部材２ａの先端から第２左右縦棒部材２ａ、２ｂが重なる側面視で外側に屈曲して第２中間屈曲部２ｇを形成し、次いで正面視で内側に屈曲して第２先端屈曲部２ｈを形成する。第２左縦棒部材２ａと第２中間屈曲部２ｇの屈曲角度（外角α）は、外脚本体１の第１左縦棒部材１ａと第１中間屈曲部１ｇの屈曲角度（外角α）と同様である。第２先端屈曲部２ｈは、正面視で第２左縦棒部材２ａに対して９０度屈曲している。これにより、第２先端屈曲部２ｈは、その全長分が設置面に接するため、設置安定性が向上する。第２先端屈曲部２ｈの先端と第１先端屈曲部１ｈの先端は正面視で一致しているため、第２中間屈曲部２ｇから内側に屈曲する第２先端屈曲部２ｈの長さは、外脚本体１の第１中間屈曲部１ｇから内側に屈曲する第１先端屈曲部１ｈの長さより小となる。これは、第２左縦棒部材２ａが第１左縦棒部材１ａより内側に位置するためである。
【００１８】
内脚本体２において、第２屈曲部２１ｂは、第２右縦棒部材２ｂの先端から第２左右縦棒部材２ａ、２ｂが重なる側面視で外側に屈曲して第２中間屈曲部２ｉを形成し、次いで正面視で内側に屈曲して第２先端屈曲部２ｋを形成する。第２右縦棒部材２ｂと第２中間屈曲部２ｉの屈曲角度（外角α）は、外脚本体１の第１左縦棒部材１ｂと第１中間屈曲部１ｉの屈曲角度（外角α）と同様である。第２先端屈曲部２ｋは、正面視で第２右縦棒部材２ｂに対して９０度屈曲している。これにより、第２先端屈曲部２ｋは、その全長分が設置面に接するため、設置安定性が向上する。第２先端屈曲部２ｋの先端と第１先端屈曲部１ｋの先端は正面視で一致しているため、第２中間屈曲部２ｉから内側に屈曲する第２先端屈曲部２ｋの長さは、外脚本体１の第１中間屈曲部１ｉから内側に屈曲する第１先端屈曲部１ｋの長さより小となる。これは、第２右縦棒部材２ｂが第１右縦棒部材１ｂより内側に位置するためである。
【００１９】
外脚本体１の先端の第１屈曲部１１ａと、内脚本体２の先端の第２屈曲部２１ａとで形成される脚部及び外脚本体１の先端の第１屈曲部１１ｂと、内脚本体２の先端の第２屈曲部２１ｂとで形成される脚部は、それぞれ側面視で左右対称の八の字形状であり、平面視で前後非対称である。
【００２０】
また、外脚本体１の第１先端屈曲部１ｈ、１ｋ及び内脚本体２の第２先端屈曲部２ｈ、２ｋには、それぞれシリコンチューブのような樹脂製チューブ１ｅ、１ｆ、２ｅ、２ｆが装着されている。これにより、設置安定性が向上する。
【００２１】
折り畳みスタンド１０において、外脚本体１の枢結位置直下に、ストッパー３ａ、３ｂが付設されている。左右のストッパー３ａ、３ｂは、同一構造であるので、左のストッパー３ａについて説明し、右のストッパー３ｂの説明は省略する。ストッパー３ａは、第１左縦棒部材１ａの丸棒より径が小の丸棒線材を屈曲させて得られるものである。すなわち、ストッパー３ａは、一端部がＵ字型となるように屈曲させ、正面視で横Ｕ字型となるように端部を内側に突出させたものであり、閉脚時、Ｕ字型の内側に第１左縦棒部材１ａと第２左縦棒部材２ａの外周部が当接している。これにより、閉脚時、内脚本体２は、開脚方向とは反対の方向には、回転しない（図２参照）。また、外脚本体１と内脚本体２は、最大開脚時より大きく開くことはない（図１参照）。このように、折り畳みスタンド１０は、第１左右縦棒部材１ａ、１ｂと第２左右縦棒部材２ａ、２ｂが側面視でＸ字形となる開脚状態から、第１左右縦棒部材１ａ、１ｂと第２左右縦棒部材２ａ、２ｂが側面視で重なる閉脚状態まで回動する。
【００２２】
折り畳みスタンド１０は、図１及び図８に示すように、開脚時、外脚本体１と内脚本体２とが、側面視でＸ字形状に交差している。また、前方側（使用者側）を内脚本体２の第２上横棒部材２ｃ側とすると、内脚本体２が外脚本体１に対して、僅かに低くなる（傾斜角βの前方傾斜）。これにより、使用者が袋の開口にごみを入れ易くなる。また、図２〜図５に示すように、閉脚時、樹脂チューブが装着された状態における第１上横棒部材１ｃと第２上横棒部材２ｃ間には、隙間がなく、且つ脚部は、側面視で八の字形状で、且つ第１先端屈曲部１ｋと第２先端屈曲部２ｋ、及び第１先端屈曲部１ｈと第２先端屈曲部２ｈが、離れて位置しており、自立することができる。また、袋中の生ごみの悪臭を閉じ込めることができる。
【００２３】
次に、本発明の折り畳みスタンド１０の使用方法について説明する。折り畳みスタンド１０を使用したい場合、図１及び図８に示すように、外脚本体１と内脚本体２とが、側面視でＸ字形状に交差するようにセットする。開脚の際、外脚本体１と内脚本体２を交差状にすると、ストッパー３ａ、３ｂがあるため、外脚本体１と内脚本体２の開脚は、約９０度の交差で停止する。次に、ビニール袋Ｘの開口の一端を外脚本体１の上部に、他端を内脚本体２の上部に、それぞれ掛け、ビニール袋本体は、内脚本体２の内側に位置するように広げて、セットする。なお、ビニール袋Ｘを掛ける外脚本体１の上部とは、少なくとも、第１上横棒部材１ｃを含む第１左右縦棒部材１ａ、１ｂの上部であり、ビニール袋Ｘを掛ける内脚本体２の上部とは、少なくとも、第２上横棒部材２ｃを含む第２左右縦棒部材２ａ、２ｂの上部である（図８参照）。図８において、内脚本体２の第２上横棒部材２ｃが手前（Ｆ側）となるように置けば、使用者から開口がよく見えるため、生ごみが投入し易くなる（図６及び図８）。
【００２４】
また、図９に示すように、シンク５０のコーナーＹに、折り畳みスタンド１０の外脚本体１の第１上横棒部材１ｃが、シンク５０の奥側（シンク５０の角側）となるように、おけば、内脚本体２の第２左右縦棒部材２ａ、２ｂの左右方向の外寸法が、第１左右縦棒部材１ａ、１ｂの左右方向の外寸法より小であり、シンクの角の奥側へ入れ込み易くなり、シンクの洗い場を広く使用できる。また、この図９の場合においても、ビニール袋Ｘの開口は、使用者からよく見えるため、生ごみが投入し易くなる。
【００２５】
図８の折り畳みスタンド１０の使用状態において、ごみ袋Ｘに生ごみが溜まった際、折り畳みスタンド１０を閉脚状態にする（図７参照）。これにより、樹脂チューブ１ｄ、２ｄが装着された第１上横棒部材１ｃと第２上横棒部材２ｃ間には、隙間がないため、ごみ袋Ｘの開口は閉じられる。これにより、ごみ袋中の生ごみの悪臭を閉じ込めることができる。また、閉脚状態において、自立できるため、使用中時と同じ場所においたままにでき、台所作業がやり易くなる。
【００２６】
次いで、生ごみが入ったごみ袋Ｘを処分する。すなわち、図６又は図７の状態において、折り畳みスタンド１０からごみ袋Ｘを外し、ごみ袋Ｘを処分する。ごみ袋Ｘが外された折り畳みスタンド１０は、折り畳んでおけばよい。この際、折り畳みスタンド１０は自立できるため、置き場所に困ることはない。また、自立した折り畳みスタンド１０は、洗った後、フキン掛けなどに利用できる。
【００２７】
本発明の折り畳みスタンドは、上記実施の形態例に限定されず、種々の変形を採ることができる。脚部形状は、図１の脚部１１ａ、１１ｂ、２１ａ、２１ｂに限定されず、例えば、図１０に示す折り畳みスタンド１０ａであって、内側に延びる先端屈曲部が、第１上横棒部材１ｃ及び第２上横棒部材２ｃに平行ではなく、平面視で先端が内側に向くような、傾斜状の第１先端屈曲部７１ｋ、第２先端屈曲部７２ｋ、及び第１先端屈曲部７１ｈ、第２先端屈曲部７２ｈであってもよい。折り畳みスタンド１０ａは、閉脚時の自立安定性が折り畳みスタンド１０に比べて少々劣るものの、図１の折り畳みスタンド１０と同様の効果を奏する。なお、本発明の折り畳みスタンドは、内側に延びる先端屈曲部が、平面視で先端が内側ではなく、外側に向くような、傾斜状の第１先端屈曲部、第２先端屈曲部、及び第１先端屈曲部、第２先端屈曲部であってもよい。
【００２８】
また、図１１に示す折り畳みスタンド１０ｂは、図２に示す折り畳みスタンド１０において、一対の第１先端屈曲部１ｈ、１ｋ及び一対の第２先端屈曲部２ｈ、２ｋが、互いの先端部分が接続され連続した棒部となったものである。すなわち、図１１の折り畳みスタンド１０ｂは、左右の第１先端屈曲部１ｈと第１先端屈曲部１ｋが接続されて一本の部材となり、第２先端屈曲部２ｈと第２先端屈曲部２ｋが接続されて一本の部材となったものである。この場合であっても、折り畳みスタンド１０と同様の効果を奏する。
【００２９】
また、図１１に示す折り畳みスタンド１０ｂは、左右一対の先端屈曲部が繋がったものではなく、図２の折り畳みスタンド１０のような第１先端屈曲部１ｈと第１先端屈曲部１ｋ及び第２先端屈曲部２ｈと第２先端屈曲部２ｋであって、樹脂製のチューブが第１先端屈曲部１ｈと第１先端屈曲部１ｋを連結し、第２先端屈曲部２ｈと第２先端屈曲部２ｋを連結するものであってもよい。折り畳みスタンド１０ｂにおいても、折り畳みスタンド１０と同様の効果を奏する。
【００３０】
図１２に示す折り畳みスタンド１０ｃは、図２に示す折り畳みスタンド１０において、接続部材１ｇが第１先端屈曲部１ｈと第１先端屈曲部１ｋを連結し、接続部材２ｇが第２先端屈曲部２ｈと第２先端屈曲部２ｋを連結するものである。接続部材１ｇ、２ｇは、樹脂製、木製又は金属製のいずれであってもよい。本例の接続部材１ｇ、２ｇは、平面視でジグザグであり、設置面に対しては、全長に亘り外周面が接している。図１２に示す折り畳みスタンド１０ｃの変形として、ジグザグ形状ではなく、平面視で緩やかな曲線の凹凸の繰り返し形状であってもよい。折り畳みスタンド１０ｃにおいても、折り畳みスタンド１０と同様の効果を奏する。
【００３１】
本発明において、ストッパーは、図１のストッパー３ａ、３ｂに限定されず、線材ではなく、薄板を屈曲させたものであってもよい。また、ストッパー３ａ、３ｂは、左右一対ものではなく、一方の設置を省略してもよい。
【産業上の利用可能性】
【００３２】
本発明によれば、使用時においてごみ袋の口を閉じることができ、生ごみの悪臭を閉じ込めることができ、台所周りの環境がよくなる。また、シンクのコーナーの狭いスペースに入り込めるため、シンク内を広く使用できる。また、ごみ袋を処分した未使用時は自立状態で待機させることができ、設置場所に困らない。
【符号の説明】
【００３３】
１            外脚本体
１ａ、１ｂ    第１左右縦棒部材
１ｃ          第１上横棒部材
１ｇ、１ｉ        第１中間屈曲部
１ｈ、１ｋ        第１先端屈曲部
２            内脚本体
２ａ、２ｂ    第２左右縦棒部材
２ｃ          第２上横棒部材
２ｇ、２ｉ          第２中間屈曲部
２ｈ、２ｋ          第２先端屈曲部
３ａ、３ｂ    ストッパー
１０、１０ａ、１０ｂ、１０ｃ      折り畳みスタンド
１１ａ、１１ｂ  第１屈曲部
２１ａ、２１ｂ  第２屈曲部
１ｄ、２ｄ、１ｅ、１ｆ、２ｅ、２ｆ      樹脂製チューブ 
【図１】
2017197336.tif 000003
【図２】
2017197336.tif 000004
【図３】
2017197336.tif 000005
【図４】
2017197336.tif 000006
【図５】
2017197336.tif 000007
【図６】
2017197336.tif 000008
【図７】
2017197336.tif 000009
【図８】
2017197336.tif 000010
【図９】
2017197336.tif 000011
【図１０】
2017197336.tif 000012
【図１１】
2017197336.tif 000013
【図１２】
2017197336.tif 000014